(57)【要約】【課題】メモリ、デコーダ又はＬ２スイッチに故障が発生した場合であっても、素材データを正常に再生することが可能な映像再生装置を提供する。【解決手段】メモリ１１−１〜１１−ｎは、第１のパケットデータと、この第１のパケットデータと同一の第２のパケットデータとを作成し、これらの第１及び第２のパケットデータに同一のシリアル番号を付する。第１及び第２のパケットデータは、別々のスイッチ部１２−１，１２−２を介して同一のデコーダの別々のポートへ供給される。デコーダ１３−１〜１３−ｍは、同一のシリアル番号が付された第１及び第２のパケットデータを確認することで、第１及び第２のパケットデータにおけるロス及びエラーを監視する。そして、デコーダ１３−１〜１３−ｍは、正常な一方のパケットデータをデコードし、映像スイッチ１４へ出力する。【選択図】      図１
2011193042.tif 000002
【特許請求の範囲】
【請求項１】
素材データを記録しており、前記素材データを、互いに同一な第１のパケットデータと第２のパケットデータとに順次変換し、前記順次変換した第１のパケットデータにシリアル番号と第１のＩＰアドレスとを付加して読み出し、前記順次変換した第２のパケットデータに前記第１のパケットデータと同一のシリアル番号と、第２のＩＰアドレスとを付加して読み出すメモリと、
前記メモリからの第１のパケットデータを受信し、前記第１のパケットデータを前記第１のＩＰアドレスに従って出力する第１のスイッチ部と、
前記メモリからの第２のパケットデータを受信し、前記第２のパケットデータを前記第２のＩＰアドレスに従って出力する第２のスイッチ部と、
前記第１のＩＰアドレスが割り当てられた第１のポートにより前記第１のパケットデータを受信し、前記第２のＩＰアドレスが割り当てられた第２のポートにより前記第２のパケットデータを受信し、前記シリアル番号が互いに一致する前記第１及び第２のパケットデータのうち、正常な一方のパケットデータをデコードするデコーダと
を具備することを特徴とする映像再生装置。
【請求項２】
前記メモリと、前記デコーダとを複数具備することを特徴とする請求項１記載の映像再生装置。
【請求項３】
前記複数のメモリのうち作動中のメモリの状態を監視し、前記作動中のメモリのうちいずれかに異常が発生した場合、第１の異常発生信号を生成するユニット監視部と、
前記複数のメモリに記録されている素材データの管理情報を管理する素材管理部と、
前記第１の異常発生信号に応じて、前記管理情報を参照し、前記異常が発生した第１のメモリと同一の第１の素材データを記録している第２のメモリに対して、前記第１の素材データに基づく第１及び第２のパケットデータを、前記第１のメモリが指定していたデコーダの第１及び第２のポートへそれぞれ出力するように制御するユニット制御部と
をさらに具備することを特徴とする請求項２記載の映像再生装置。
【請求項４】
前記複数のデコーダのうち作動中のデコーダの状態を監視し、前記作動中のデコーダのうちいずれかに異常が発生した場合、第１の異常発生信号を生成するユニット監視部と、
前記複数のデコーダからの信号を切り替えて出力する映像スイッチ部と、
前記第１の異常発生信号に応じて、前記異常が発生した第１のデコーダへ前記第１及び第２のパケットデータを出力していたメモリに対して、正常な第２のデコーダへ出力先を切り替えるように制御すると共に、前記映像スイッチ部に対して、前記第１のデコーダからの信号に替えて第２のデコーダからの信号を出力するように切替制御するユニット制御部と
をさらに具備することを特徴とする請求項２記載の映像再生装置。
【請求項５】
前記複数のデコーダからの信号を切り替えて出力する映像スイッチ部をさらに具備し、
前記ユニット監視部は、前記複数のデコーダのうち作動中のデコーダの状態をさらに監視し、前記作動中のデコーダのうちいずれかに異常が発生した場合、第２の異常発生信号を生成し、
前記ユニット制御部は、前記第２の異常発生信号に応じて、前記異常が発生した第１のデコーダへ前記第１及び第２のパケットデータを出力していたメモリに対して、正常な第２のデコーダへ出力先を切り替えるように制御すると共に、前記映像スイッチ部に対して、前記第１のデコーダからの信号に替えて第２のデコーダからの信号を出力するように切替制御することを特徴とする請求項３記載の映像再生装置。
【請求項６】
前記ユニット監視部は、前記第１及び第２のスイッチ部をさらに監視し、前記第１及び第２のスイッチ部のいずれかに異常が発生した場合、スイッチ異常信号を生成し、
前記ユニット制御部は、前記スイッチ異常信号に応じて、第１及び第２のスイッチ部のいずれかに異常が発生したことを外部へ通知することを特徴とする請求項３乃至５のいずれかに記載の映像再生装置。
【請求項７】
記録している素材データを、互いに同一な第１のパケットデータと第２のパケットデータとに順次変換し、
前記順次変換した第１のパケットデータにシリアル番号と、第１のＩＰアドレスとを付して第１のスイッチ部へ出力し、
前記順次変換した第２のパケットデータに前記第１のパケットデータと同一のシリアル番号と、第２のＩＰアドレスを付して第２のスイッチ部へ出力し、
前記第１のパケットデータを、前記第１のスイッチ部を介して、デコーダにおける前記第１のＩＰアドレスが割り当てられた第１のポートにより受信し、
前記第２のパケットデータを、前記第２のスイッチ部を介して、デコーダにおける前記第２のＩＰアドレスが割り当てられた第２のポートにより受信し、
前記デコーダにおいて、前記シリアル番号が互いに一致する前記第１及び第２のパケットデータのうち、正常な一方のパケットデータをデコードすることを特徴とする映像再生方法。
【発明の詳細な説明】
【技術分野】
【０００１】
この発明は、メモリに記録された素材データを再生する映像再生装置及びこの装置に用いられる映像再生方法に関する。
【背景技術】
【０００２】
従来の映像再生装置は、素材データを蓄積する複数のメモリと、チャンネル毎に配備され、メモリから読み出された素材データをデコードして出力する複数のデコーダと、複数のメモリと複数のデコーダとをＩＰネットワークを介して接続するＬ２スイッチとを具備する。この種の映像再生装置では、メモリ、デコーダ又はＬ２スイッチに何らかの異常が発生した場合、素材データが正常に再生されない場合がある。このような場合に対応するため、従来では、現用系の映像再生装置と、予備系の映像再生装置とを用意し、一方の装置に以上が生じた場合には、他方の装置に切り替えるようにしている（例えば、特許文献１参照）。すなわち、本線系のメモリ、デコーダ又はＬ２スイッチに故障が発生した場合には、予備系の映像再生装置に切り替えることで、素材データが正常に再生される。
【０００３】
しかしながら、上述の方法では、現用系及び予備系の映像再生装置が必要となるため、システム構築の際におけるコストの増大、又は、システムの規模の増大の要因になるという問題がある。
【先行技術文献】
【特許文献】
【０００４】
【特許文献１】特開２００１−１４４７０５号公報
【発明の概要】
【発明が解決しようとする課題】
【０００５】
以上のように、従来の映像再生装置では、メモリ、デコーダ又はＬ２スイッチに何らかの異常が発生した場合、素材データが正常に再生されないという問題がある。また、現用系の映像再生装置及び予備系の映像再生装置を用いてこの問題を対処しようとする場合、システムの高コスト化及び大規模化の要因となるという問題がある。
【０００６】
この発明は上記事情によりなされたもので、その目的は、メモリ、デコーダ又はＬ２スイッチに異常が発生した場合であっても、素材データを正常に再生することが可能な映像再生装置及びこの装置に用いられる映像再生方法を提供することにある。
【課題を解決するための手段】
【０００７】
上記目的を達成するため、本発明に係る映像再生装置は、素材データを記録しており、前記素材データを、互いに同一な第１のパケットデータと第２のパケットデータとに順次変換し、前記順次変換した第１のパケットデータにシリアル番号と第１のＩＰアドレスとを付加して読み出し、前記順次変換した第２のパケットデータに前記第１のパケットデータと同一のシリアル番号と、第２のＩＰアドレスとを付加して読み出すメモリと、前記メモリからの第１のパケットデータを受信し、前記第１のパケットデータを前記第１のＩＰアドレスに従って出力する第１のスイッチ部と、前記メモリからの第２のパケットデータを受信し、前記第２のパケットデータを前記第２のＩＰアドレスに従って出力する第２のスイッチ部と、前記第１のＩＰアドレスが割り当てられた第１のポートにより前記第１のパケットデータを受信し、前記第２のＩＰアドレスが割り当てられた第２のポートにより前記第２のパケットデータを受信し、前記シリアル番号が互いに一致する前記第１及び第２のパケットデータのうち、正常な一方のパケットデータをデコードするデコーダとを具備する。
【０００８】
また、本発明に係る映像再生方法は、記録している素材データを、互いに同一な第１のパケットデータと第２のパケットデータとに順次変換し、前記順次変換した第１のパケットデータにシリアル番号と、第１のＩＰアドレスとを付して第１のスイッチ部へ出力し、前記順次変換した第２のパケットデータに前記第１のパケットデータと同一のシリアル番号と、第２のＩＰアドレスを付して第２のスイッチ部へ出力し、前記第１のパケットデータを、前記第１のスイッチ部を介して、デコーダにおける前記第１のＩＰアドレスが割り当てられた第１のポートにより受信し、前記第２のパケットデータを、前記第２のスイッチ部を介して、デコーダにおける前記第２のＩＰアドレスが割り当てられた第２のポートにより受信し、前記デコーダにおいて、前記シリアル番号が互いに一致する前記第１及び第２のパケットデータのうち、正常な一方のパケットデータをデコードすることを特徴とする。
【０００９】
上記構成による映像再生装置及び映像再生方法では、メモリは、第１のパケットデータと、この第１のパケットデータと同一の第２のパケットデータとを作成し、これらの第１及び第２のパケットデータに同一のシリアル番号を付する。第１及び第２のパケットデータは、別々のスイッチ部を介して同一のデコーダの別々のポートへ供給される。デコーダは、同一のシリアル番号が付された第１及び第２のパケットデータを確認することで、第１及び第２のパケットデータにおけるロス及びエラーを監視する。そして、デコーダは、正常な一方のパケットデータをデコードし、映像スイッチへ出力する。これにより、スイッチ部のいずれか一方、又は、メモリとデコーダとの間のＩＰネットワークで異常が生じた場合であっても、デコーダは正常なパケットデータをデコードすることが可能となる。
【発明の効果】
【００１０】
この発明によれば、メモリ、デコーダ又はＬ２スイッチに故障が発生した場合であっても、素材データを正常に再生することが可能な映像再生装置及びこの装置に用いられる映像再生方法を提供することができる。
【図面の簡単な説明】
【００１１】
【図１】本発明の一実施形態に係る映像再生装置の機能構成を示すブロック図である。
【図２】図１の映像再生装置の動作を説明する際の図である。
【発明を実施するための形態】
【００１２】
以下、図面を参照しながら本発明に係る映像再生装置の実施の形態について詳細に説明する。
【００１３】
図１は、本発明の一実施形態に係る映像再生装置の機能構成を示すブロック図である。図１における映像再生装置は、メモリ１１−１〜１１−ｎ（ｎは自然数）、スイッチ部１２−１，１２−２、デコーダ１３−１〜１３−ｍ（ｍはチャンネル数＋α）、映像スイッチ１４、ユニット監視部１５、ユニット制御部１６及び素材管理部１７を具備する。メモリ１１−１〜１１−ｎ、スイッチ部１２−１，１２−２及びデコーダ１３−１〜１３−ｍは、それぞれＩＰネットワークで接続されている。
【００１４】
メモリ１１−１〜１１−ｎは、複数チャネルの素材データを記録している。ここで、メモリ１１−１〜１１−ｎのうちいずれかのメモリには、互いに同一の素材データが記録されている。
【００１５】
メモリ１１−１は、記録している素材データのうち、外部からの再生制御により指定された素材データを、順次パケットデータに変換する。メモリ１１−１は、変換したパケットデータを複製して第１のパケットデータと、第２のパケットデータとを作成する。ここで、第１のパケットデータと第２のパケットデータとはそれぞれ同一である。
【００１６】
メモリ１１−１は、第１及び第２のパケットデータに同一のシリアル番号を付す。また、メモリ１１−１は、デコーダ１３−１〜１３−ｍのうち再生制御により指定されたデコーダの第１のポートのＩＰアドレスを第１のパケットデータに付し、このデコーダの第２のポートのＩＰアドレスを第２のパケットデータに付す。メモリ１１−１は、第１のパケットデータを第１のポート１１１−１からスイッチ部１２−１へ出力し、第２のパケットデータを第２のポート１１２−１からスイッチ部１２−２へ出力する。また、メモリ１１−１は、素材データに基づいて順次変換するパケットデータについても同様の処理を施し、スイッチ部１２−１，１２−２へ出力する。
【００１７】
なお、メモリ１１−２〜１１−ｎは、メモリ１１−１と同様の動作を行い、再生制御により指定されたデコーダへ第１及び第２のパケットデータを出力する。
【００１８】
スイッチ部１２−１，１２−２は、例えば、Ｌ２スイッチである。スイッチ部１２−１は、メモリ１１−１〜１１−ｎから第１のパケットデータを受け取り、第１のパケットデータに付されたＩＰアドレスに従ってそれぞれの第１のパケットデータを出力する。また、スイッチ部１２−２は、メモリ１１−１〜１１−ｎから第２のパケットデータを受け取り、第２のパケットデータに付されたＩＰアドレスに従ってそれぞれの第２のパケットデータを出力する。
【００１９】
デコーダ１３−１〜１３−ｍは、スイッチ部１２−１からの第１のパケットデータを第１のポート１３１−１〜１３１−ｍで受け取り、スイッチ部１２−２からの第２のパケットデータを第２のポート１３２−１〜１３２−ｍで受け取る。
【００２０】
デコーダ１３−１は、同一のシリアル番号が付された第１及び第２のパケットデータを受信したか否かを確認することで、第１及び第２のパケットデータがロスしていないかを監視する。また、デコーダ１３−１は、同一のシリアル番号が付された第１及び第２のパケットデータにエラーが生じていないかを監視する。デコーダ１３−１は、同一のシリアル番号が付された第１及び第２のパケットデータのうち、正常な一方のパケットデータをデコードして映像スイッチ１４へ出力する。なお、デコーダ１３−２〜１３−ｍについても、デコーダ１３−１と同様の動作を行い、受け取ったパケットデータのうち、正常な一方のパケットデータをデコードして映像スイッチ１４へ出力する。
【００２１】
映像スイッチ１４は、ユニット制御部１６からの切替信号に従い、デコーダ１３−１〜１３−ｍからのデータを切り替えて出力する。
【００２２】
ユニット監視部１５は、メモリ１１−１〜１１−ｎのうち作動中のメモリと、デコーダ１３−１〜１３−ｍのうち作動中のデコーダと、スイッチ部１２−１，１２−２との状態を監視する。ユニット監視部１５は、作動中のメモリに異常が発生した場合、第１の異常発生信号をユニット制御部１６へ出力する。また、ユニット監視部１５は、作動中のデコーダに異常が発生した場合、第２の異常発生信号をユニット制御部１６へ出力する。また、ユニット監視部１５は、スイッチ部１２−１，１２−２に異常が発生した場合、第３の異常発生信号をユニット制御部１６へ出力する。
【００２３】
素材管理部１７は、メモリ１１−１〜１１−ｎに記録されている素材データの管理情報を記録する。管理情報には、素材データの名前、識別番号、取得日時、データ長、収録時間長、記憶されているメモリ及び現在の状態等の情報が含まれる。
【００２４】
ユニット制御部１６は、第１の異常発生信号を受信した場合、素材管理部１７に記録されている管理情報を参照し、異常が生じた第１のメモリから出力されていた素材データＣ１と同一の素材データＣ２を記録しているメモリを検索する。そして、ユニット制御部１６は、素材データＣ２を記録している第２のメモリを発見した場合、第１のメモリを停止させ、第２のメモリに対して、素材データＣ２を出力するように制御信号を出力する。このとき、ユニット制御部１６は、第２のメモリに対して、素材データＣ１の出力が中断された位置と、素材データＣ２の出力を開始する位置とが一致するように制御する。また、ユニット制御部１６は、第２のメモリに対して、素材データＣ１が出力されていた第１のデコーダへ、素材データＣ２を出力するように制御する。素材管理部１７は、ユニット制御部１６がメモリを切り替えた後、管理情報を更新する。これにより、素材データＣ２は、素材データＣ１に代えて第２のメモリから第１のデコーダへ出力されることとなる。
【００２５】
ユニット制御部１６は、第２の異常発生信号を受信した場合、異常が発生した第２のデコーダへ素材データを出力していたメモリに対して、異常の発生していない第３のデコーダへ素材データを出力するように制御する。また、ユニット制御部１６は、第２のデコーダからの出力を、第３のデコーダからの出力へ切り替えるように映像スイッチ１４へ切替信号を出力する。
【００２６】
ユニット制御部１６は、第３の異常発生信号を受信した場合、スイッチ部１２−１，１２−２に異常が発生したことを外部へ通知する。スイッチ部の片方に異常が発生しても映像は正常に出力され続けるが、異常が発生したスイッチを速やかに交換する必要があるため、この通知により異常が発生したスイッチを交換するようにユーザに知らせる。
【００２７】
次に、以上のように構成された映像再生装置の動作を説明する。図２は、本発明の一実施形態に係る映像再生装置の動作を説明する際の模式図を示す。
【００２８】
まず、映像再生装置が正常に動作している場合を説明する。図２では、メモリ１１−１には素材データＣ３が記憶されており、素材データＣ３が第１及び第２のパケットデータＡ，Ｂ，Ｃ，…に変換される。なお、図２における第１のパケットデータＡ，Ｂ，Ｃ，…は、第２のパケットデータＡ，Ｂ，Ｃ，…とそれぞれ同一のものとする。このパケットは、素材データの画像フレーム単位またはＧＯＰ単位となっている。
【００２９】
メモリ１１−１は、第１のパケットデータＡにシリアル番号「１」と、デコーダ１３−１の第１のポート１３１−１のＩＰアドレス（１９２．１６８．１．３）とを付して、メモリ１１−１の第１のポート１１１−１から出力する。また、メモリ１１−１は、第１のパケットデータＢにシリアル番号「２」と、ＩＰアドレス（１９２．１６８．１．３）とを付して、第１のポート１１１−１から出力する。また、メモリ１１−１は、第１のパケットデータＣにシリアル番号「３」と、ＩＰアドレス（１９２．１６８．１．３）とを付して、第１のポート１１１−１から出力する。
【００３０】
メモリ１１−１は、第２のパケットデータＡにシリアル番号「１」と、デコーダ１３−１の第２のポート１３２−１のＩＰアドレス（１９２．１６８．２．３）とを付して、メモリ１１−１の第２のポート１１２−１から出力する。また、メモリ１１−１は、第２のパケットデータＢにシリアル番号「２」と、ＩＰアドレス（１９２．１６８．２．３）とを付して、第２のポート１１２−１から出力する。また、メモリ１１−１は、第２のパケットデータＣにシリアル番号「３」と、（１９２．１６８．２．３）とを付して、第２のポート１１２−１から出力する。
【００３１】
スイッチ部１２−１は、メモリ１１−１から第１のパケットデータＡ，Ｂ，Ｃを受け取り、付されたＩＰアドレスに従って、これらをデコーダ１３−１の第１のポート１３１−１へ出力する。また、スイッチ部１２−２は、メモリ１１−１から第２のパケットデータＡ，Ｂ，Ｃを受け取り、付されたＩＰアドレスに従って、これらをデコーダ１３−１の第２のポート１３２−１へ出力する。
【００３２】
デコーダ１３−１は、第１のポート１３１−１及び第２のポート１３２−１で受信されたパケットデータのうち、シリアル番号が同一のパケットデータを確認する。すなわち、デコーダ１３−１は、シリアル番号「１」が付された第１のパケットデータＡと、第２のパケットデータＡとが受信されたか否かを確認することで、第１のパケットデータＡと第２のパケットデータＡとにロスがないかを判断する。また、デコーダ１３−１は、シリアル番号「１」の第１のパケットデータＡと第２のパケットデータＡとにエラーが生じていないかを判断する。例えば、デコーダ１３−１は、第１のパケットデータＡのみしか受信されていない場合は、第２のパケットデータＡはロスしたとして、第１のパケットデータＡをデコードして映像スイッチ１４へ出力する。また、デコーダ１３−１は、第１のパケットデータＡにエラーが生じていた場合、第２のパケットデータＡをデコードして映像スイッチ１４へ出力する。
【００３３】
デコーダ１３−１は、第１及び第２のパケットデータＡに対する処理と同様の処理を第１及び第２のパケットデータＢ，Ｃにも行い、正常な一方のパケットデータをデコードして映像スイッチ１４へ出力する。
【００３４】
次に、図２において、メモリ１１−１に異常が発生した場合を説明する。ここで、メモリ１１−１が第１及び第２のパケットデータＢを出力した際に故障したとする。ユニット監視部１５は、メモリ１１−１に異常が発生したことを感知すると、第１の異常発生信号をユニット制御部１６へ出力する。
【００３５】
ユニット制御部１６は、第１の異常発生信号を受信すると、素材管理部１７に記録されている管理情報を参照し、素材データＣ３を記憶しているメモリを検索する。ユニット制御部１６は、素材データＣ３を記憶しているメモリ１１−ｊを発見すると、メモリ１１−１の動作を停止させる。そして、ユニット制御部１６は、メモリ１１−１に故障が生じた際に出力された第１及び第２のパケットデータＢと同一のパケットデータを出力するように、メモリ１１−ｊを制御する。すなわち、ユニット制御部１６は、メモリ１１−ｊに対して、第１のパケットデータＢにシリアル番号「２」と、デコーダ１３−１の第１のポート１３１−１のＩＰアドレス（１９２．２６８．１．３）とを付して出力するように制御する。また、ユニット制御部１６は、メモリ１１−ｊに対して、第２のパケットデータＢにシリアル番号「２」とＩＰアドレス（１９２．２６８．２．３）とを付して出力するように制御する。
【００３６】
次に、図２において、デコーダ１３−１に異常が発生した場合を説明する。ユニット監視部１５は、デコーダ１３−１に異常が発生したことを感知すると、第２の異常発生信号をユニット制御部１６へ出力する。
【００３７】
ユニット制御部１６は、第２の異常発生信号を受信すると、作動していないデコーダを検索する。図２においては、デコーダ１３−ｉを作動していないデコーダであるとする。ユニット制御部１６は、メモリ１１−１に対して、第１のパケットデータＡ，Ｂ，ＣのＩＰアドレスを、デコーダ１３−ｉの第１のポート１３１−ｉのＩＰアドレス（１９２．１６８．１．５）とするように制御する。また、ユニット制御部１６は、メモリ１１−１に対して、第２のパケットデータＡ，Ｂ，ＣのＩＰアドレスを、デコーダ１３−ｉの第２のポート１３２−ｉのＩＰアドレス（１９２．１６８．２．５）とするように制御する。
【００３８】
また、ユニット制御部１６は、映像スイッチ１４に対して、デコーダ１３−１からの信号の出力をデコーダ１３−ｉからの信号の出力に切り替えるように切替信号を出力する。
【００３９】
以上のように、上記一実施形態では、メモリ１１−１〜１１−ｎは、第１のパケットデータと、この第１のパケットデータと同一の第２のパケットデータとを作成し、これらの第１及び第２のパケットデータに同一のシリアル番号を付する。第１及び第２のパケットデータは、別々のスイッチ部１２−１，１２−２を介して同一のデコーダの別々のポートへ供給される。デコーダ１３−１〜１３−ｍは、同一のシリアル番号が付された第１及び第２のパケットデータを確認することで、第１及び第２のパケットデータにおけるロス及びエラーを監視する。そして、デコーダ１３−１〜１３−ｍは、正常な一方のパケットデータをデコードし、映像スイッチ１４へ出力する。これにより、スイッチ部１２−１，１２−２のいずれか一方、又は、メモリ１１−１〜１１−ｎとデコーダ１３−１〜１３−ｍとの間のＩＰネットワークで異常が生じた場合であっても、デコーダ１３−１〜１３−ｍは正常なパケットデータをデコードすることが可能となる。また、デコーダ１３−１〜１３−ｍは、同一のシリアル番号が付されたパケットデータを対象としているため、伝送経路の違いによる遅延差が生じていても対応した第１及び第２のパケットデータを比較することが可能となる。
【００４０】
また、上記一実施形態では、ユニット監視部１５により、作動中のメモリの状態を監視し、異常が発生した場合には、ユニット制御部１６により、正常なメモリから素材データを出力させるようにしている。これにより、メモリ１１−１〜１１−ｎに異常が生じた場合であっても、素材データの出力が途切れることはない。
【００４１】
また、上記一実施形態では、ユニット監視部１５により、作動中のデコーダの状態を監視する。そして、異常が発生した場合には、ユニット制御部１６により、メモリからのパケットデータの出力先を正常なデコーダに切り替え、この正常なデコーダからの信号が出力されるように映像スイッチ１４を切り替えるようにしている。これにより、デコーダ１３−１〜１３−ｍに異常が生じた場合であっても、正常なデコーダで素材データがデコードされ、素材データの出力が途切れることはない。また、デコーダの個数は、チャンネル数＋α個であるため、例えば映像再生装置を二台用意した場合の個数（チャンネル数×２）に比べ、より少なくてすむ。
【００４２】
また、上記一実施形態では、ユニット監視部１５により、スイッチ部１２−１，１２−２の状態を監視し、異常が発生した場合には、ユニット制御部１６から外部へ異常が発生した旨の通知がなされるようにしている。これにより、スイッチ部１２−１，１２−２の補修を迅速に行うことが可能となる。
【００４３】
したがって、本発明に係る映像再生装置は、メモリ、デコーダ又はＬ２スイッチに異常が発生した場合であっても、素材データを正常に再生することができる。すなわち、従来の映像再生装置のように、複数の映像再生装置を用意して冗長構成を構築する必要がなくなるため、システムの高コスト化及び大規模化を抑えることができる。
【００４４】
なお、この発明は上記一実施形態に限定されるものではない。例えば、上記一実施形態では、スイッチ部１２−１，１２−２が設置されている場合について説明したが、これに限定される訳ではない。すなわち、スイッチ部が二個以上設置されている場合であっても同様に実施可能である。ただし、スイッチ部の数に応じて、メモリ１１−１〜１１−ｎ及びデコーダ１３−１〜１３−ｍのポート数を増加させる必要がある。
【００４５】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４６】
１１−１〜１１−ｎ，１１−ｊ…メモリ
１１１−１〜１１１−ｎ，１１１−ｊ…第１のポート
１１２−１〜１１２−ｎ，１１２−ｊ…第２のポート
１２−１，１２−２…スイッチ部
１３−１〜１３−ｍ，１３−ｉ…デコーダ
１３１−１〜１３１−ｍ，１３１−ｉ…第１のポート
１３２−１〜１３２−ｍ，１３２−ｉ…第２のポート
１４…映像スイッチ
１５…ユニット監視部
１６…ユニット制御部
１７…素材管理部
【図１】
2011193042.tif 000003
【図２】
2011193042.tif 000004